(57)【特許請求の範囲】
【請求項１】
乗りかごと、前記乗りかごを昇降させる駆動装置と、前記乗りかごの内部を撮影する乗りかご内カメラと、を備えたエレベータ装置において、
前記乗りかご内カメラは、レンズを有するカメラ本体と、前記カメラ本体を保持するカメラボックスと、前記カメラ本体に対して前記乗りかごの内部側に配設されるレンズカバーと、を備え、
前記乗りかごの内部と外部とを仕切る仕切り部材は、前記乗りかごの天井を構成する天井パネルと、前記天井パネルと前記乗りかごの床との間で前記乗りかごの内部空間を囲む側板と、を備え、
前記側板は、上部に形成された開口部を有し、
前記レンズカバーは、前記乗りかごの内部側から前記開口部に固定されることにより、前記側板に設けられ、
前記カメラボックスは、前記乗りかごの前記天井の側に上側端部が固定され、前記天井の側から下方に延設された下垂部を有するブラケットの下側端部に支持されることにより、前記側板に対して前記乗りかごの外部側であって、前記側板の、前記開口部と相対する位置に取り付けられたことを特徴とするエレベータ装置。
【請求項２】
請求項１において、
前記ブラケットは、前記上側端部に、前記下垂部との間に鋭角を成すように折り曲げられた折り曲げ部を有し、前記カメラボックスを前記側板の外部側の面である裏面側に押し付けた状態で、固定されていることを特徴とするエレベータ装置。
【請求項３】
請求項２において、
前記ブラケットは、前記下垂部に開口部が形成されていることを特徴とするエレベータ装置。
【請求項４】
請求項２又は３において、
前記ブラケットの剛性は前記カメラボックスの剛性よりも高いことを特徴とするエレベータ装置。
【請求項５】
乗りかごと、前記乗りかごを昇降させる駆動装置と、前記乗りかごの内部を撮影する乗りかご内カメラと、を備えたエレベータ装置において、
前記乗りかご内カメラは、レンズを有するカメラ本体と、前記カメラ本体を保持するカメラボックスと、前記カメラ本体に対して前記乗りかごの内部側に配設されるレンズカバーと、を備え、
前記乗りかごの内部と外部とを仕切る仕切り部材に開口部を設け、
前記カメラボックスは、前記仕切り部材に対して外部側であって、前記開口部と相対する位置に取り付けられ、
前記レンズカバーは、前記乗りかごの内部側から、前記仕切り部材に配置した板状のねじ部材にねじ込んだ状態で取り付けられることにより、前記開口部に固定されていることを特徴とするエレベータ装置。
【請求項６】
請求項１又は５のいずれか一項において、
前記カメラ本体は、前記カメラボックスに設けた回転軸に視野角度を調整可能に支持され、前記レンズカバーを取り外して、前記乗りかごの内部側から視野角度の調整を行うことがでる状態に支持されていることを特徴とするエレベータ装置。
【請求項７】
請求項６において、
前記レンズカバーは前記乗りかごの内部側に向かって突出する曲面を有し、
前記曲面の前記乗りかごの内部側に突出する突出寸法は、前記開口部の直径よりも小さいことを特徴とするエレベータ装置。
【請求項８】
請求項７において、
前記レンズカバーの最大外径は前記開口部の直径よりも大きいことを特徴とするエレベータ装置。
【請求項９】
請求項７において、
前記カメラ本体は、一部が前記レンズカバーの前記曲面の裏面側に形成される空間内に配置され、前記一部を除くその他の部分が前記カメラボックスの内部に配置されることを特徴とするエレベータ装置。
【発明の詳細な説明】
【技術分野】
【０００１】
本発明は、乗りかご内カメラを備えたエレベータ装置に関する。
【背景技術】
【０００２】
本技術分野の背景技術として、特開２０１０−１５９１２０号公報（特許文献１）がある。この特許文献１には、エレベータの乗りかご内に設置されるカメラを取付ける乗りかご内カメラ取付け板であって、乗りかご内の第１の作業者により乗りかごの側面と天井との隙間に挿入され、乗りかごの上面において、第２の作業者により乗りかごの外部から乗りかごの壁面に固定される一対のカメラ固定部と、前記固定作業が完了するまで乗りかご内で第１の作業者により保持されてカメラが取付けられるカメラ取付部とを備え、カメラ固定部は、カメラ取付部と同じ横幅を有し、乗りかご壁面に設けられたカメラのケーブル通線用の開口部を挟んで配置されるエレベータの乗りかご内カメラ取付け板において、乗りかごの壁面を貫通して乗りかごの上面に露出され、前記開口部の左右の位置で乗りかご壁面に固定される一対のカメラ固定部と、前記開口部の横幅よりも小さな横幅を有し、乗りかごの上面から前記開口部を通過して乗りかご内に挿入され、乗りかご壁面に係止されたカメラ固定部により保持され、カメラが取付けられるカメラ取付部と、を備えることを特徴とするエレベータの乗りかご内カメラ取付け板が記載されている。
【先行技術文献】
【特許文献】
【０００３】
【特許文献１】特開２０１０−１５９１２０号公報
【発明の概要】
【発明が解決しようとする課題】
【０００４】
しかしながら、特許文献１に記載されたエレベータ装置は、乗りかごの内側にカメラ及びカメラ取付け板のほとんどの部分を配置する構成であったため、乗りかご内カメラ構成部が乗りかごの内側に大きく突出してしまい、乗りかご内の美観性や意匠性が低下するという課題を有していた。
【０００５】
そこで、本発明の目的は、乗りかご内の意匠性および美観性を向上するように乗りかご内カメラを配置することができるエレベータ装置を提供することにある。
【課題を解決するための手段】
【０００６】
上記課題を解決するために、本発明のエレベータ装置は、
乗りかごと、前記乗りかごを昇降させる駆動装置と、前記乗りかごの内部を撮影する乗りかご内カメラと、を備えたエレベータ装置において、
前記乗りかご内カメラは、レンズを有するカメラ本体と、前記カメラ本体を保持するカメラボックスと、前記カメラ本体に対して前記乗りかごの内部側に配設されるレンズカバーと、を備え、
前記乗りかごの内部と外部とを仕切る仕切り部材は、前記乗りかごの天井を構成する天井パネルと、前記天井パネルと前記乗りかごの床との間で前記乗りかごの内部空間を囲む側板と、を備え、
前記側板は、上部に形成された開口部を有し、
前記レンズカバーは、前記乗りかごの内部側から前記開口部に固定されることにより、前記側板に設けられ、
前記カメラボックスは、前記乗りかごの前記天井の側に上側端部が固定され、前記天井の側から下方に延設された下垂部を有するブラケットの下側端部に支持されることにより、前記側板に対して前記乗りかごの外部側であって、前記側板の、前記開口部と相対する位置に取り付けられる。
また本発明のエレベータ装置は、乗りかごと、前記乗りかごを昇降させる駆動装置と、前記乗りかごの内部を撮影する乗りかご内カメラと、を備えたエレベータ装置において、
前記乗りかご内カメラは、レンズを有するカメラ本体と、前記カメラ本体を保持するカメラボックスと、前記カメラ本体に対して前記乗りかごの内部側に配設されるレンズカバーと、を備え、
前記乗りかごの内部と外部とを仕切る仕切り部材に開口部を設け、
前記カメラボックスは、前記仕切り部材に対して外部側であって、前記開口部と相対する位置に取り付けられ、
前記レンズカバーは、前記乗りかごの内部側から、前記仕切り部材に配置した板状のねじ部材にねじ込んだ状態で取り付けられることにより、前記開口部に固定されている。
【発明の効果】
【０００７】
本発明のエレベータ装置によれば、乗りかご内の意匠性および美観性を向上するように乗りかご内カメラを配置することができる。なお、上述した以外の課題、構成および効果は、以下の実施形態の説明により明らかにされる。
【図面の簡単な説明】
【０００８】
【図１】本発明の一実施例に係るエレベータ装置の乗りかごの断面を示す平面図である。
【図２】図１に示した乗りかごを出入口側から見た乗りかごの正面図である。
【図３】図２に示した乗りかごに設けられた乗りかご内カメラの近傍を示す乗りかごの断面図である。
【図４】図３に示した乗りかご内カメラの近傍を乗りかごの背面側から見た乗りかごの背面図である。
【図５】本発明の一実施例に係るエレベータ装置の構成を示す概略図である。
【発明を実施するための形態】
【０００９】
以下、本発明の実施例を図面に基づいて説明する。
【実施例１】
【００１０】
最初に、図５を参照して、本発明の一実施例に係るエレベータ装置１００について説明する。図５は、本発明の一実施例に係るエレベータ装置の構成を示す概略図である。
【００１１】
エレベータ装置１００は、建築物１０００に設けられた昇降路２０００及び機械室３０００の内部に収容されている。昇降路２０００の内部には、乗りかご１０１、主ロープ１０２、釣合いおもり１０３、ガイドレール１０４、調速用ロープ１０５、調速機１０６及び調速機１０６の張りプーリ１０６ｂ等が配置されている。機械室３０００の内部には、トラクションシーブ１０７、トラクションシーブ１０７を駆動する駆動モーター１１２、綱車１０６ａを有する調速機本体１０６ｃ及び制御盤１１７等が配置されている。
【００１２】
乗りかご１０１は主ロープ１０２の一端部に連結されており、主ロープ１０２の他端部には釣合いおもり１０３が連結されている。主ロープ１０２はトラクションシーブ１０７に巻掛けられ、トラクションシーブ１０７が駆動モーター１１２で駆動されることにより、乗りかご１０１及び釣合いおもり１０３は昇降路２０００内を昇降する。このため、主ロープ１０２は、トラクションシーブ１０７に巻き掛けられた部分が機械室３０００の内部にあり、昇降路２０００の内部と機械室３０００の内部とに跨って張設される。また、乗りかご１０１は、昇降路２０００の内部に上下方向（鉛直線方向）に延設されたガイドレール１０４によって、昇降を案内されている。
【００１３】
本実施例では、駆動モーター１１２及びトラクションシーブ１０７が巻上機を構成する。巻上機は、トラクションシーブ１０７に巻き掛けられた主ロープ１０２を走行させることにより、乗りかご１０１を昇降路２０００内で昇降させる駆動装置を構成する。
【００１４】
乗りかご１０１には、非常止め装置１１０が設けられている。非常止め装置１１０は、非常時に楔によってガイドレール７００を把持し、乗りかご１０１を非常停止させる。レバー１１１は、一端部が乗りかご１０１側に軸支され、他端部が調速用ロープ１に連結されている。
【００１５】
調速用ロープ１０５は、調速用ロープ１０５は綱車１０６ａと張りプーリ１０６ｂとの間に巻掛けられており、昇降路２０００の内部の乗りかご１０１の昇降行程全域に亘って無端状に張られている。また、綱車１０６ａは調速機本体１０６ｃと共に機械室３０００の内部に設けられている。このために、調速用ロープ１０５は昇降路２０００の内部と機械室３０００の内部とに跨って張設される。綱車１０６ａ、張りプーリ１０６ｂ及び調速機本体１０６ｃが調速機１０６を構成する。調速用ロープ１０５を調速機１０６の構成要素とみなしてもよい。
【００１６】
制御盤１７は、駆動モーター１１２の制御のほか、エレベータ装置１００を構成する各機器の管理を行う。
【００１７】
なお、エレベータ装置１００の構成は、上述した構成に限らず、他の構成を採用したものであってもよい。例えば、エレベータ装置１００は、機械室３０００を設けることなく、機械室３０００の内部に配置した機器を昇降路２０００の内部に配置した構成であってもよい。また、エレベータ装置１００は、例えば、機械室３０００を昇降路２０００の下側に配置した構成であってもよい。
【００１８】
次に、図１及び図２を参照して、乗りかご１０１の構成について説明する。図１は、本発明の一実施例に係るエレベータ装置の乗りかごの断面を示す平面図である。図２は、図１に示した乗りかごを出入口側から見た乗りかごの正面図である。なお、図１は水平面に平行な断面である。
【００１９】
乗りかご１０１は、出入口２と、出入口２の側方や後方で乗りかご側壁を構成する側板３と、床４と、天井５などを有して構成されている。出入口２には開閉するドア１０１ａ（図５参照）が設けられている。
【００２０】
側板３のうちの一枚、例えば後方の側板３には、その上部に１つの比較的小さな開口部６が形成されており、この開口部６にレンズカバー７だけが乗りかご１０１の内側に向かって若干突出するようにして嵌め込まれている。開口部６を形成した側板３の裏側には詳細を後述するがカメラ本体を収納したカメラボックス８が配置されている。
【００２１】
次に、図３及び図４を参照して、乗りかご内カメラ２００の取り付け構造について、説明する。図３は、図２に示した乗りかごに設けられた乗りかご内カメラの近傍を示す乗りかごの断面図である。図４は、図３に示した乗りかご内カメラの近傍を乗りかごの背面側から見た乗りかごの背面図である。
【００２２】
開口部６が形成された側板３の裏面側には、上述したようにカメラ本体９を収納したカメラボックス８が配置されている。このカメラボックス８は種々の構成で取り付けることができる。ここでは、側板３の裏面側にブラケット１１を配置し、このブラケット１１の上部側の端部（上側端部）を乗りかご１０１の天井５側にボルト１０によって固定している。具体的には、天井５は、天井パネル５Ａと天井リアパネル５Ｂとを有しており、複数のパネル部材が組み合わされて構成されている。
【００２３】
天井リアパネル５Ｂは、天井パネル５Ａの下側に配置され、天井パネル５Ａと側板３の上端部との間に配設されている。天井リアパネル５Ｂは、側板３よりも乗りかご１０１の外側に向かって、庇状に突出する鍔部５Ｂ１を有する。この鍔部５Ｂ１には、その上面側からブラケット１１が取り付けられ、ブラケット１１は鍔部５Ｂ１に吊り下げ状態で固定されている。このために、ブラケット１１の上側端部には折り曲げ部１１Ｂが設けられており、折り曲げ部１１Ｂが鍔部５Ｂ１に引っ掛けるように取り付けられている。
【００２４】
天井５側から吊り下げた状態となったブラケット１１の下部側の端部（下側端部）に、カメラボックス８を取り付けている。このために、ブラケット１１の下側端部には折り曲げ部１１Ｃが設けられており、折り曲げ部１１Ｃの下面側にカメラボックス８が固定されている。
【００２５】
折り曲げ部１１Ｂと折り曲げ部１１Ｃとの間には、折り曲げ部１１Ｂから鉛直方向下側に向かって延設された下垂部１１Ｄが設けられている。折り曲げ部１１Ｂ及ぶ折り曲げ部１１Ｃは、下垂部１１Ｄの鉛直方向（上下方向）の両端部から乗りかご１０１（側板３）側に向かって折り曲げられている。これにより、カメラボックス８を側板３に近づけて取り付けることができ、カメラボックス８の側板３からの突き出し寸法を小さくすることができる。
【００２６】
ブラケット１１は、図４に示したようにカメラボックス８とほぼ同じ幅寸法を有するような強度部材として製作される。折り曲げ部１１Ｂの折り曲げ角度θｂ（図３参照）を鋭角化（θｂ＜９０°）することにより、カメラボックス８が側板３の裏面側に押し付けられるようにしている。しかも、カメラボックス８と側板３の裏面と間には、緩衝材１２Ａ，１２Ｂが介在するように配設され、側板３の裏面に緩衝材１２Ａ，１２Ｂを介してカメラボックス８を押し付けた状態で保持している。
【００２７】
このような構成によって、乗りかご１０１の昇降移動時の振動などによってカメラボックス８と側板３の裏面との衝突が繰り返されることを防止し、同部における異音の発生を防止している。また、このようにブラケット１１を強度部材によって製作することによって、カメラボックス８は薄板で製作して軽量化を図ることができる。
【００２８】
すなわち、カメラボックス８及びブラケット１１は板状の部材で形成され、ブラケット１１を構成する板状部材（厚板）の剛性は、カメラボックス８を構成する板状部材（薄板）の剛性よりも高い。そして、ブラケット１１の剛性はカメラボックス８の剛性よりも高い。このような構成にすることによって、カメラボックス８の軽量化のほか、カメラボックス８を安定した状態で側板３に押し付けることができる。
【００２９】
乗りかご１０１の組み立て後に、乗りかご内カメラ２００を取り付ける場合でも、ブラケット１１の下部側の端部にカメラ本体９を内蔵したカメラボックス８を予め連結しておき、作業者は天井５側からブラケット１１を手で持ってカメラボックス８を仮配置しながら、ボルト１０によってブラケット１１の上部側の端部を天井５側に固定することができる。
【００３０】
ブラケット１１の中間部（下垂部１１Ｄ）には、切り抜いた開口部１１Ａが形成されている。上述したように側板３の裏面側にカメラボックス８を配置する構造であるため、ブラケット１１やカメラボックス８をボルトなどで取り付けようとすると、作業性が悪くなることが考えられる。しかし、開口部１１Ａを形成したブラケット１１を用いることにより、作業者は、この開口部１１Ａを取っ手として利用することができ、この取っ手を手で持って、天井部５の取り付け部（鍔部５Ｂ１）の上側にブラケット１１を載せて簡単に仮配置することができる。
【００３１】
また、側板３の裏面側にカメラボックス８を取り付けるとき、作業者はブラケット１１の開口部１１Ａを利用して手で持ったり、図示しない仮保持用具を開口部１１Ａを利用して仮支持させたりすることもできる。さらに側板３の裏面側における狭隘部でカメラボックス８を取り付ける作業時に、この開口部１１Ａから手や工具を入れてボルト１０の締め付け作業時にナット側を支えることもできる。
【００３２】
カメラボックス８から分割されたレンズカバー７は、種々の構成で取り付けることができるが、乗りかご１０１の内側から取り付けできるようにしている。つまり、側板３の裏面側もしくは側板３の裏面側に位置するカメラボックス８に環状の板ナット（雌ねじを形成した板状部材又は板状のねじ部材）１３が固定されており、一方、レンズカバー７の挿入側外周にはねじ部（雄ねじ部）が形成されている。このため作業者は、乗りかご１０１の内側からレンズカバー７を側板３の開口部６に挿入しながら、レンズカバー７のねじ部を板ナット１３にねじ込んで、レンズカバー７の取り付けを行うことができる。このような構成によれば、側板３の裏面側における狭隘部に作業者が入って作業を行う必要がなく、レンズカバー７の取り付け及び取り外しを乗りかご１の内側から行うことが可能となる。
【００３３】
このレンズカバー７は、その裏面側に形成されている凹部（凹面）７Ａ側と、カメラボックス８内とが連通状態となっている。カメラボックス８内に配置されるカメラ本体９は、そのレンズ側の一部が上述したレンズカバー７の裏面側（凹面側）である凹部７Ａ側で、凹部７Ａによって形成される空間内に位置するように配置され、前記一部を除くその他の部分がカメラボックス８の内側（内部）に配置される。
【００３４】
またレンズカバー７は、乗りかご１０１の内側に大きく突出しない構造である。例えば、レンズカバー７は、乗りかご１０１の内部側に向かって突出する曲面が半球よりも少し薄く形成され、そのカメラボックス８側の径Ｗ７よりも、側板３から乗りかご１０１の内側への突出寸法Ｌ７が小さくなるように形成されている（Ｌ７＜Ｗ７）。レンズカバー７の径Ｗ７は開口部６における側板３の板面に沿う方向の直径であり、レンズカバー７の最大外径である。レンズカバー７の径Ｗ７は、開口部６の径（直径）Ｗ６よりも大きいが、開口部６の径Ｗ６にほぼ等しい。従って、レンズカバー７の突出寸法Ｌ７は開口部６の径Ｗ６よりも小さい。このようなレンズカバー７は、乗りかご１０１の内側への突出寸法が小さい凸状部を構成し、その背面側の凹部内にはカメラ本体９の一部が配置されている。
【００３５】
本実施例では、カメラ本体９の大部分を収容してカメラ本体９を保持するカメラボックス８が側板３の裏面側（乗りかご１０１の外側）に配置され、カメラボックス８とカメラ本体９の大部分とが乗りかご１０１の外側に配置される。このため、カメラ本体９の乗りかご１０１の内側における占有体積を限りなく小さくすることができる。これにより、乗りかご１０１の内側に持ち込んだ荷物とカメラボックス８及びカメラ本体とが接触する可能性を小さくすることができる。本実施例では、レンズカバー７の乗りかご１０１の内側への突出量を小さくしているので、さらにレンズカバー７と乗りかご１０１の内側に持ち込んだ荷物との接触の可能性を小さくすることができる。
【００３６】
カメラ本体９は視野角度を調整する必要があるため、カメラボックス８内に支持腕部１４を設け、この支持腕部１４の回転を可能にする回転軸１５を用いてカメラ本体９を支持している。この回転軸１５は、板ナット１３よりもレンズカバー７側に位置するのではなく、板ナット１３よりもカメラボックス８側に後退した位置（乗りかご１０１の内側から外側に後退した位置）に支持されている。
【００３７】
従って、乗りかご１０１の内部からレンズカバー７を回して取り外し、回転軸１５を中心にしてカメラ本体９を首振り回転することによって、視野角度調整を行うことができる。カメラ本体９を視野角度調整のために回転させると、レンズカバー７の裏面近傍に位置する部分はレンズカバー７の凹部内面と非接触状態で移動する。このようにして監視カメラの構成は、乗りかご１０１の内側に大きく突出することなく、しかも乗りかご１０１の内部から視野角度調整を行うことができる。
【００３８】
カメラ本体９は、そのレンズ側の一部がレンズカバー７の凹部７Ａによって形成される空間内に位置することにより、視野角度の調整を容易に行うことができる。
【００３９】
本実施例では、レンズカバー７の乗りかご１０１の内側への突出寸法は、視野角度調整のためにカメラ本体９を回転させても、カメラ本体９とレンズカバー７の裏面とが接触しない間隔を有するように、設定されている。この場合も、カメラ本体９の大部分が側板３よりも乗りかご１０１の外側に存在するため、カメラ本体９とレンズカバー７の裏面との間隔を小さくすることができる。
【００４０】
これに対して、板ナット１３よりもレンズカバー７側に回転軸１５を配置することが考えられる。しかし、このような構成の場合、回転軸１５を中心にカメラ本体９を回転して視野角度調整を行うと、レンズカバー７は乗りかご１０１の内側に本実施例の場合よりも大きく突出してしまう。
【００４１】
本実施例のような構成の乗りかご内カメラ２００によれば、レンズカバー７は側板３に形成した開口部６に嵌め込んで乗りかご１０１の内側に配置されているが、カメラ本体９を収容したカメラボックス８は側板３の裏面側に配置されている。このため、乗りかご１０１の内側から見ると、乗客から見えるのはレンズカバー７のみのようですっきりした構成となり、乗りかご１０１の内側の美観性および意匠性を向上することができる。また、乗りかご１０１の内側に持ち込んだ荷物がカメラボックス８及びカメラ本体９と接触するのを防ぐことができる。
【００４２】
本実施例では、ブラケット１１と一体にしたカメラボックス８を乗りかご１０１の天井５側から側板３の裏面側に取り付けることができる。このとき、カメラボックス８から引き出された配線（ケーブル）１６を天井パネル５Ａ上に配置した電源に接続する。すなわち、乗りかご１０１の外部で行う作業において、カメラボックス８の設置と、配線１６の接続作業とを完結して行うことができる。なお、配線１６は帯状の拘束部材１７でブラケット１１や天井パネル５Ａ等に適宜遊びを持たせた状態で拘束すると良い。
【００４３】
またレンズカバー７は、乗りかご１内から側板３の裏面側に配置した板ナット１３へねじ込んで取り付け、カメラ本体９はカメラボックス８内に設けた回転軸１５に視野角度調整可能に支持しているため、カメラボックス８を側板３の裏面側に配置しているにも拘わらず、乗りかご１内からレンズカバー７を取り外して、カメラ本体９の視野角度調整を容易に行うことができる。視野角度の調整は、カメラボックス８を側板３の裏面側に固定した後で、乗りかご１内から行うことができる。このため、カメラボックス８を側板３の裏面側に固定する際に、固定位置の精度を気にすることなく、カメラボックス８を固定することができる。
【００４４】
さらに、開口部６を側板３の上部に形成し、乗りかご１０１の天井５側に上側端部が固定され、かつ側板３の裏面側に設けられた下側端部を有するブラケット１１を設け、このブラケット１１の下側端部にカメラボックス８を支持固定する。このとき、ブラケット１１にはカメラボックス８を側板３の裏面側に押し付けるように作用する折り曲げ部１１Ｂを形成したため、乗りかご１内の全体を撮影するのに望ましい高さ位置に監視カメラを配置し、乗りかご１０１の内側から見えない位置に設けたブラケット１１を使用してカメラボックス８を容易に支持することができる。しかも、ブラケット１１に形成した折り曲げ部１１Ｂによって、側板３の裏面側にカメラボックス８を押し付けることができるので、側板３とカメラボックス８との間で異音が発生するのを簡単な構成で容易に防止することができる。
【００４５】
本実施例では、カメラボックス８を側板３の裏面側に設けたが、天井パネル５Ａの裏面側に設けることも可能である。カメラボックス８を天井パネル５Ａの裏面側に設ける場合は、開口部６は天井パネル５Ａに設けられる。側板３及び天井パネル５Ａは、乗りかごの内部（内側）と外部（外側）とを仕切る仕切り部材（仕切り板）である。すなわち本実施例では、カメラボックス８は、仕切り部材３，５Ａに対して裏面側（外部側）であって、開口部６と相対する位置に取り付けられる。またレンズカバー７は、仕切り部材３，５Ａの表側（内部側）から開口部６に嵌め込まれ、仕切り部材３，５Ａの裏面側に配置した板ナット１３にねじ込んで取り付けられる。
【００４６】
乗りかご内カメラ１００は、カメラ本体９、支持腕部１４、カメラボックス８及びレンズカバー７を含んで構成される。乗りかご内カメラは、防犯のため乗りかご内を監視するために、或いは緊急時に乗りかご内の状況を把握するために、乗りかご１０１の内部（内側）を撮影する監視カメラとして用いられる。
【００４７】
本実施例では、乗りかご１０１に連結された主ロープ１０２を巻き上げて乗りかご１０１を昇降させる形態のエレベータ装置について説明したが、例えば乗りかご１０１を昇降させる駆動装置として油圧装置を用いる形態のエレベータ装置であってもよい。このように本実施例では、駆動装置として種々の形態のものを利用することができる。
【００４８】
尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。また、カメラボックス８の構成やその取り付け構造については、図示のものに限定するものではない。
【符号の説明】
【００４９】
１…乗りかご、３…側板、６…開口部、７…レンズカバー、８…カメラボックス、９…カメラ本体、１１…ブラケット、１３…板ナット、１５…回転軸。
【図１】
0006517722.tif 000002
【図２】
0006517722.tif 000003
【図３】
0006517722.tif 000004
【図４】
0006517722.tif 000005
【図５】
0006517722.tif 000006